(57)【要約】【課題】水回収率が高く、膜ろ過装置の安定運転が可能な鉄／マンガン含有水の処理装置および処理方法を提供する。【解決手段】鉄およびマンガンのうち少なくとも１つを含む鉄／マンガン含有水に酸化剤を添加する酸化剤添加手段と、酸化剤添加水を酸化処理する、二酸化マンガンを含む酸化触媒を充填した酸化処理槽１２と、酸化処理水を膜ろ過する膜ろ過装置１４と、膜ろ過装置１４を逆洗する逆洗手段と、膜ろ過装置１４を逆洗した逆洗排水を洗浄水として用いて酸化処理槽１２を洗浄する洗浄手段と、を備える鉄／マンガン含有水の処理装置１である。【選択図】図１
2015003316.tif 000002
【特許請求の範囲】
【請求項１】
鉄およびマンガンのうち少なくとも１つを含む鉄／マンガン含有水に酸化剤を添加する酸化剤添加手段と、
前記酸化剤が添加された酸化剤添加水を酸化処理する、二酸化マンガンを含む酸化触媒を充填した酸化処理槽と、
前記酸化処理した酸化処理水を膜ろ過する膜ろ過装置と、
前記膜ろ過装置を逆洗する逆洗手段と、
前記膜ろ過装置を逆洗した逆洗排水の少なくとも一部を洗浄水として用いて前記酸化処理槽を洗浄する洗浄手段と、
を備えることを特徴とする鉄／マンガン含有水の処理装置。
【請求項２】
請求項１に記載の鉄／マンガン含有水の処理装置であって、
前記酸化処理槽の洗浄流束が、１，２００〜３，６００ｍ／日の範囲であることを特徴とする鉄／マンガン含有水の処理装置。
【請求項３】
鉄およびマンガンのうち少なくとも１つを含む鉄／マンガン含有水に酸化剤を添加する酸化剤添加工程と、
前記酸化剤が添加された酸化剤添加水を、二酸化マンガンを含む酸化触媒を充填した酸化処理槽に通水して酸化処理する酸化処理工程と、
前記酸化処理した酸化処理水を膜ろ過装置に通水して膜ろ過する膜ろ過工程と、
前記膜ろ過装置を逆洗する逆洗工程と、
前記膜ろ過装置を逆洗した逆洗排水の少なくとも一部を洗浄水として用いて前記酸化処理槽を洗浄する洗浄工程と、
を含むことを特徴とする鉄／マンガン含有水の処理方法。
【請求項４】
請求項３に記載の鉄／マンガン含有水の処理方法であって、
前記酸化処理槽の洗浄流束が、１，２００〜３，６００ｍ／日の範囲であることを特徴とする鉄／マンガン含有水の処理方法。
【発明の詳細な説明】
【技術分野】
【０００１】
本発明は、鉄およびマンガンのうち少なくとも１つを含む鉄／マンガン含有水の処理装置および処理方法に関する。
【背景技術】
【０００２】
上水源となる河川水や地下水等には溶解性鉄や溶解性マンガンが含まれている場合がある。このような鉄／マンガン含有水中の溶解性鉄や溶解性マンガンを除去する方法としては、接触マンガン砂ろ過法が知られている。接触マンガン砂ろ過法は、原水をマンガン砂の充填槽中を下向流で通過させる間に、溶解性マンガンを酸化析出させ、マンガン砂に捕捉させる方法である。
【０００３】
また、鉄／マンガン含有水の高速処理を行う方法として、原水に塩素を添加しながら、酸化マンガン触媒が充填された酸化処理槽に例えば１，０００ｍ／日以上の高線速の上向流で通水して、原水中の鉄およびマンガンを酸化析出させ、後段のろ過膜で酸化析出物を除去する方法が知られている（例えば、特許文献１参照）。
【０００４】
例えば、図５，６に示す従来の鉄／マンガン含有水処理装置は、原水槽５０、酸化処理槽５２、膜ろ過装置５４、処理水槽５６、酸化剤槽５８、逆洗排水槽６０を備える。図５に示す鉄／マンガン含有水処理装置では、原水槽５０からの原水に酸化剤槽５８から酸化剤を添加しながら、マンガン砂が充填された酸化処理槽５２に下向流で通水する。原水中の鉄およびマンガンを酸化析出させ、マンガン砂で捕捉するとともに、酸化処理槽５２から流出した析出物や懸濁物等を後段の膜ろ過装置５４で除去する。膜ろ過装置５４の膜の洗浄が必要となった場合、処理水槽５６に貯留された処理水の少なくとも一部が膜ろ過水出口側から膜ろ過装置５４へ供給され、ろ過膜の逆洗が行われる。膜ろ過装置５４の逆洗排水は、逆洗排水槽６０に貯留され、廃棄される。酸化処理槽５２の洗浄には処理水槽５６に貯留された処理水を用いる。
【０００５】
図６に示す鉄／マンガン含有水処理装置では、原水槽５０からの原水に酸化剤槽５８から酸化剤を添加しながら、例えば１，０００ｍ／日以上の高線速の上向流で酸化マンガン触媒充填された酸化処理槽５２に上向流で通水する。酸化処理槽５２の洗浄には原水槽５０からの原水を用いる。酸化処理槽５２の洗浄時には酸化マンガン触媒への付着物を取り除くために、平常運転時の線速を超え、例えば２，０００〜３，５００ｍ／日程度のさらに高線速の上向流として原水槽５０からの原水を通水する必要がある。
【０００６】
図６に示すような方法は、図５に示すような従来型の接触マンガン砂ろ過法に比べて、高線速で原水を通水できるため、設備を小型化することができるうえ、原水中の濁質による閉塞が少ないため、酸化処理槽の洗浄頻度も少なくできるという利点を持つ。
【０００７】
しかし、酸化処理槽の洗浄に原水を用い、洗浄排水を廃棄するため、全体として水回収率が下がってしまうという問題がある。水回収率を下げないようにするために、原水を用いて洗浄し、その洗浄排水を捨水せずに後段の膜ろ過装置に通水することも可能だが、その場合、高濁度の洗浄排水が一気に膜に通水されることになり、不可逆的な膜の詰まりを促進する可能性がある。
【先行技術文献】
【特許文献】
【０００８】
【特許文献１】特許第３７８６８８８号公報
【発明の概要】
【発明が解決しようとする課題】
【０００９】
本発明の目的は、水回収率が高く、膜ろ過装置の安定運転が可能な鉄／マンガン含有水の処理装置および処理方法を提供することにある。
【課題を解決するための手段】
【００１０】
本発明は、鉄およびマンガンのうち少なくとも１つを含む鉄／マンガン含有水に酸化剤を添加する酸化剤添加手段と、前記酸化剤が添加された酸化剤添加水を酸化処理する、二酸化マンガンを含む酸化触媒を充填した酸化処理槽と、前記酸化処理した酸化処理水を膜ろ過する膜ろ過装置と、前記膜ろ過装置を逆洗する逆洗手段と、前記膜ろ過装置を逆洗した逆洗排水の少なくとも一部を洗浄水として用いて前記酸化処理槽を洗浄する洗浄手段と、を備える鉄／マンガン含有水の処理装置である。
【００１１】
また、前記鉄／マンガン含有水の処理装置において、前記酸化処理槽の洗浄流束が、１，２００〜３，６００ｍ／日の範囲であることが好ましい。
【００１２】
また、本発明は、鉄およびマンガンのうち少なくとも１つを含む鉄／マンガン含有水に酸化剤を添加する酸化剤添加工程と、前記酸化剤が添加された酸化剤添加水を、二酸化マンガンを含む酸化触媒を充填した酸化処理槽に通水して酸化処理する酸化処理工程と、前記酸化処理した酸化処理水を膜ろ過装置に通水して膜ろ過する膜ろ過工程と、前記膜ろ過装置を逆洗する逆洗工程と、前記膜ろ過装置を逆洗した逆洗排水の少なくとも一部を洗浄水として用いて前記酸化処理槽を洗浄する洗浄工程と、を含む鉄／マンガン含有水の処理方法である。
【００１３】
また、前記鉄／マンガン含有水の処理方法において、前記酸化処理槽の洗浄流束が、１，２００〜３，６００ｍ／日の範囲であることが好ましい。
【発明の効果】
【００１４】
本発明では、膜ろ過装置を逆洗した逆洗排水を洗浄水として用いて酸化処理槽を洗浄することにより、洗水回収率が高く、膜ろ過装置の安定運転が可能な鉄／マンガン含有水の処理装置および処理方法を提供することができる。
【図面の簡単な説明】
【００１５】
【図１】本発明の実施形態に係る鉄／マンガン含有水の処理装置の一例を示す概略構成図である。
【図２】本発明の実施形態に係る鉄／マンガン含有水の処理装置の他の例を示す概略構成図である。
【図３】本発明の実施形態に係る鉄／マンガン含有水の処理装置の他の例を示す概略構成図である。
【図４】本発明の実施形態に係る鉄／マンガン含有水の処理装置の他の例を示す概略構成図である。
【図５】従来の鉄／マンガン含有水の処理装置の一例を示す概略構成図である。
【図６】従来の鉄／マンガン含有水の処理装置の他の例を示す概略構成図である。
【図７】実施例１の処理結果を示す図である。
【発明を実施するための形態】
【００１６】
本発明の実施の形態について以下説明する。本実施形態は本発明を実施する一例であって、本発明は本実施形態に限定されるものではない。
【００１７】
本発明の実施形態に係る鉄／マンガン含有水処理装置の一例の概略を図１に示し、その構成について説明する。鉄／マンガン含有水処理装置１は、二酸化マンガンを含む酸化触媒を充填した酸化処理槽１２と、膜ろ過装置１４とを備える。鉄／マンガン含有水処理装置１は、原水槽１０と、処理水槽１６とを備えてもよい。
【００１８】
図１の鉄／マンガン含有水処理装置１において、原水槽１０の入口には原水配管２６が接続され、原水槽１０の出口と酸化処理槽１２の酸化剤添加水入口とはポンプ２０を介して原水供給配管２８により接続され、酸化処理槽１２の出口と膜ろ過装置１４の入口とは酸化処理水配管３０により接続され、膜ろ過装置１４の膜ろ過水出口と処理水槽１６の入口とは膜ろ過水配管３２により接続され、処理水槽１６の処理水出口には処理水配管３４が接続されている。また、処理水槽１６の逆洗水出口と膜ろ過水配管３２の途中とはポンプ２４を介して逆洗水配管３８により接続され、膜ろ過装置１４の逆洗排水出口と酸化処理槽１２の洗浄水入口とは逆洗排水配管４０により接続され、酸化処理槽１２の洗浄排水出口には洗浄排水配管４２が接続されている。原水供給配管２８のポンプ２０の下流側には、酸化剤槽１８の出口がポンプ２２を介して酸化剤配管３６により接続されている。
【００１９】
本実施形態に係る鉄／マンガン含有水処理方法および鉄／マンガン含有水処理装置１の動作について説明する。
【００２０】
原水である、鉄およびマンガンのうち少なくとも１つを含む鉄／マンガン含有水は、原水配管２６を通して、必要に応じて原水槽１０に貯留される。鉄／マンガン含有水は、ポンプ２０によって原水供給配管２８を通して酸化処理槽１２に送液されるが、原水供給配管２８の途中において酸化剤槽１８から酸化剤がポンプ２２によって酸化剤配管３６を通して鉄／マンガン含有水に添加され（酸化剤添加工程）、酸化剤添加水として酸化処理槽１２に送液される。本実施形態では、酸化剤槽１８、ポンプ２２および酸化剤配管３６が酸化剤添加手段として機能する。
【００２１】
酸化処理槽１２において、酸化剤添加水は上向流で通水され、充填された二酸化マンガンを含む酸化触媒により酸化処理される（酸化処理工程）。鉄／マンガン含有水に酸化剤が添加されながら、二酸化マンガンを含む酸化触媒が充填された酸化処理槽１２に通水されることにより、溶存鉄および溶存マンガンが酸化析出される。
【００２２】
酸化処理された酸化処理水は、酸化処理槽１２の出口から酸化処理水配管３０を通して膜ろ過装置１４へ送液され、膜ろ過装置１４において、酸化析出された析出物が膜ろ過される（膜ろ過工程）。
【００２３】
膜ろ過装置１４の膜ろ過水は、膜ろ過水配管３２を通して処理水槽１６へ送液され、貯留される。処理水槽１６に貯留された処理水の所定の量が処理水配管３４を通して排出される。
【００２４】
膜ろ過装置１４の膜の洗浄が必要となった場合、処理水槽１６に貯留された処理水の少なくとも一部がポンプ２４によって逆洗水配管３８を通して膜ろ過水出口側から膜ろ過装置１４へ供給され、ろ過膜の逆洗が行われる（逆洗工程）。本実施形態では、処理水槽１６、ポンプ２４および逆洗水配管３８が逆洗手段として機能する。
【００２５】
膜ろ過装置１４の逆洗排水の少なくとも一部は、膜ろ過装置１４の逆洗排水出口から逆洗排水配管４０を通して、洗浄水として酸化処理槽１２の洗浄水入口から供給され、酸化処理槽１２において洗浄水が上向流で通水され、酸化処理槽１２が洗浄される（洗浄工程）。逆洗排水の残りは逆洗排水配管４０の途中から排出されてもよい。酸化処理槽１２の洗浄排水は、洗浄排水配管４２を通して排出される。
【００２６】
本実施形態に係る鉄／マンガン含有水処理装置１では、鉄／マンガン含有水に酸化剤を添加しながら、二酸化マンガンを含む酸化触媒の充填槽に通水することにより溶存鉄および溶存マンガンを酸化析出させ、その酸化処理水を膜ろ過する方法において、酸化処理槽１２の洗浄水として膜ろ過装置１４の逆洗排水を利用する。このように、膜ろ過装置１４を逆洗した逆洗排水の少なくとも一部を洗浄水として用いて酸化処理槽１２を洗浄することにより、従来型システムと比べ、より水回収率が高く、膜の安定運転が可能な鉄／マンガン含有水の処理装置が実現可能となる。
【００２７】
膜ろ過装置１４の逆洗排水には一般的に原水の２０倍程度の濁質が含まれることになるが、酸化処理槽１２の洗浄流束を１，２００〜３，６００ｍ／日程度にすれば、それら濁質は酸化処理槽１２にほとんど捕捉されることなく、系外に排出可能であるので、洗浄効果に関しては、洗浄水として膜ろ過水や原水を使用した場合と比べて、何ら遜色はない。
【００２８】
酸化処理槽１２の洗浄流束が１，２００ｍ／日未満では、濁質が酸化処理槽１２に捕捉される場合があり、３，６００ｍ／日を超える流速は、酸化処理槽１２の槽高が高くなりすぎるため現実的ではない。酸化処理槽１２の洗浄流束は、１，８００ｍ／日以上３，０００ｍ／日未満の範囲であることがより好ましい。
【００２９】
また、酸化処理槽１２の洗浄排水は、膜ろ過装置１４の逆洗排水と比較して、高濃度となるため、排水処理が行いやすくなるという利点もある。さらに、上記特許文献１に記載の運転方法では、酸化処理槽１２の洗通水と洗浄をどちらも原水ポンプで行うため、ポンプ容量を洗浄用に合わせて高揚程のものとし、さらに流量調整用のインバータを設置し、その都度流量を合わせる等、制御が複雑となるが、本実施形態の方法ではそのようにしなくてもよい。
【００３０】
処理対象となる鉄／マンガン含有水は、鉄およびマンガンのうち少なくとも１つを含み、少なくともマンガンを含むことが好ましく、通常は鉄およびマンガンの両方を含む。鉄／マンガン含有水中の溶解性鉄の含有量は、例えば０．１〜１０ｍｇ／Ｌの範囲であり、溶解性マンガンの含有量は、例えば０．０１〜５ｍｇ／Ｌの範囲である。
【００３１】
処理対象となる鉄／マンガン含有水としては、例えば、河川水、地下水、湖沼水等が挙げられる。
【００３２】
酸化剤としては、次亜塩素酸ナトリウム、さらし粉、過マンガン酸カリウム、二酸化塩素等が挙げられ、ランニングコスト、汎用性等の点から、次亜塩素酸ナトリウムが好ましい。
【００３３】
酸化剤の添加量は、例えば、鉄／マンガン含有水中の溶解性鉄に対しては、鉄の含有量１モルに対して０．５モル以上２モル以下の範囲、溶解性マンガンに対しては、マンガン含有量１モルに対して１モル以上４モル以下の範囲である。酸化剤の添加量が上記の値未満であると、反応が不十分となる場合があり、過剰に入れすぎると、コスト面で不利となる上に、トリハロメタン生成量が増大する場合がある。
【００３４】
二酸化マンガンを含む酸化触媒としては、例えば、二酸化マンガンが粒状、固形状となった酸化触媒や、マンガン砂等が挙げられる。また、二酸化マンガンとしては、特に制限はなく、α型、β型、ε型、γ型、λ型、δ型およびＲ型の結晶構造を有する二酸化マンガンが挙げられ、これらのうち、反応性等の点から、β型の結晶構造を有する二酸化マンガンが好ましい。
【００３５】
二酸化マンガンを含む酸化触媒の密度は、２．８ｇ／ｃｍ３以上であることが好ましい。二酸化マンガンを含む酸化触媒の密度が２．８ｇ／ｃｍ３未満であると、高速で通水した場合に触媒が展開し、酸化処理槽１２の槽高が高くなる場合がある。
【００３６】
二酸化マンガンを含む酸化触媒の粒径は、０．４ｍｍ〜２．０ｍｍの範囲であることが好ましい。二酸化マンガンを含む酸化触媒の粒径が０．４ｍｍ未満であると、触媒の展開率が上がり、粒径の小さいものが流出する場合があり、２．０ｍｍを超えると、触媒表面積が減り、反応効率が低下する場合がある。
【００３７】
酸化処理槽１２における上向流による通水流速は、例えば、１，０００ｍ／日〜３，６００ｍ／日の範囲の高線速であり、１，２００ｍ／日〜２，４００ｍ／日の範囲であることが好ましい。酸化処理槽１２における上向流による通水流速が１，０００ｍ／日未満であると、触媒が略均一に流動せず、片流れが生じる場合があり、３，６００ｍ／日を超えると、触媒の展開率が上がり、酸化処理槽１２の槽高が高くなる場合がある。
【００３８】
酸化処理槽１２における反応温度は、例えば、１℃〜５０℃の範囲である。
【００３９】
膜ろ過装置１４において用いるろ過膜は、酸化析出された析出物をろ過できるものであればよく、特に制限はないが、例えば、ＵＦ膜、ＭＦ膜等が挙げられ、二酸化マンガンを含む酸化触媒から剥離した微細なマンガン粒子（例えば、０．１μｍ未満）等を除去できる等の点から、ＵＦ膜が好ましい。
【００４０】
本実施形態に係る鉄／マンガン含有水処理装置の他の例の概略を図２に示す。鉄／マンガン含有水処理装置３は、逆洗排水配管４０の途中に逆洗排水槽４４が設置され、逆洗排水槽４４の出口側の逆洗排水配管４０の途中にポンプ４６が設置されている以外は、図１の鉄／マンガン含有水処理装置１と同じ構成である。
【００４１】
図２の鉄／マンガン含有水処理装置３において、膜ろ過装置１４の逆洗排水の少なくとも一部は、膜ろ過装置１４の逆洗排水出口から逆洗排水配管４０を通して逆洗排水槽４４に貯留される。逆洗排水槽４４に貯留された逆洗排水の少なくとも一部は、洗浄水として酸化処理槽１２の洗浄水入口から供給され、酸化処理槽１２において洗浄水が上向流で通水され、酸化処理槽１２が洗浄される（洗浄工程）。酸化処理槽１２の洗浄排水は、洗浄排水配管４２を通して排出される。
【００４２】
図１に示す鉄／マンガン含有水処理装置１は、図２に示す鉄／マンガン含有水処理装置３に比べて、コンパクトなシステムとなる点で有利であり、また、ポンプ４６が不要となる点で装置コストやランニングコストにおいても有利である。一方、図２に示す鉄／マンガン含有水処理装置３では、逆洗排水槽４４に逆洗排水を一旦貯留するため、逆洗排水中の濁質が沈殿しやすくなるため、逆洗排水の水質がより良好となるという利点がある。
【００４３】
本実施形態に係る鉄／マンガン含有水処理方法および処理装置においては、上記の通り、酸化処理槽１２を例えば１，０００ｍ／日以上の高線速の上向流で鉄／マンガン含有水を通水させるが、もちろん酸化処理槽中を下向流で鉄／マンガン含有水を通水させる従来型の接触マンガン砂ろ過法への適用も可能である。
【００４４】
本実施形態に係る鉄／マンガン含有水処理装置の他の例の概略を図３に示す。鉄／マンガン含有水処理装置５は、酸化処理槽１２において、酸化剤添加水は下向流で通水され、充填された二酸化マンガンを含む酸化触媒により酸化処理される構成となっている以外は、図１の鉄／マンガン含有水処理装置１と同じ構成である。
【００４５】
本実施形態に係る鉄／マンガン含有水処理装置の他の例の概略を図４に示す。鉄／マンガン含有水処理装置７は、逆洗排水配管４０の途中に逆洗排水槽４４が設置され、逆洗排水槽４４の出口側の逆洗排水配管４０の途中にポンプ４６が設置されている以外は、図３の鉄／マンガン含有水処理装置５と同じ構成である。
【００４６】
酸化処理槽１２における下向流による通水流速は、例えば、１２０ｍ／日〜７２０ｍ／日の範囲であり、１４０ｍ／日〜３６０ｍ／日の範囲であることが好ましい。酸化処理槽１２における下向流による通水流速が１２０ｍ／日未満であると、装置が大きくなってしまう場合があり、７２０ｍ／日を超えると、すぐに濁質が詰まり通水不能になる場合がある。
【００４７】
本実施形態に係る鉄／マンガン含有水処理装置および処理方法は、例えば、浄水処理場、地下水の用水処理等において好適に適用可能である。
【実施例】
【００４８】
以下、実施例および比較例を挙げ、本発明をより具体的に詳細に説明するが、本発明は、以下の実施例に限定されるものではない。
【００４９】
＜実施例１＞
図２に記載の鉄／マンガン含有水処理装置を用いて、鉄／マンガン含有水の処理を行った。そして、実際の膜ろ過装置の逆洗排水（濁度２５度、３５５度）を用い、酸化処理槽に異なる線速で上向流で通水して洗浄した場合の洗浄排水の濁度を、積分球式濁度計（日本電色工業株式会社製、ＷＡ２０００型）を用いて測定した。二酸化マンガンを含む酸化触媒として、有効径０．５ｍｍ、密度４．０ｇ／ｃｍ３のβ型の結晶構造を有する二酸化マンガン触媒粒子を用いた。ろ過膜としては、ＰＶＣ製ＵＦ膜を用いた。結果を図７に示す。
【００５０】
洗浄流束１，０００ｍ／日では、洗浄水（膜ろ過装置の逆洗排水）の濁度が２５度の場合も３５５度の場合も、洗浄水中の濁質が酸化処理槽内にやや蓄積されていく結果となった。一方、洗浄流束１，２００ｍ／日〜３，６００ｍ／日の範囲では、洗浄水がほとんどそのまま洗浄排水として流出していく結果となり、膜ろ過装置の逆洗排水が酸化処理槽の洗浄水として、遜色なく使用できることがわかった。
【００５１】
図２に記載の鉄／マンガン含有水処理装置を用いて処理した原水である鉄／マンガン含有水のマンガン濃度、および処理水のマンガン濃度をそれぞれ測定した。測定は、ＩＰＣ質量分析計（株式会社パーキンエルマー製、ＮｅｘＩＯＮ）を用いた。結果を表１に示す。
【００５２】
また、図２に記載の鉄／マンガン含有水処理装置を用いて洗浄間隔を１日、２日、３日、４日と変更して処理した場合の、処理した原水に対する処理水の回収率を算出した結果を表２に示す。
【００５３】
＜比較例１＞
図６に記載の鉄／マンガン含有水処理装置を用いて、鉄／マンガン含有水の処理を行った。図６に記載の鉄／マンガン含有水処理装置は、図２に記載の鉄／マンガン含有水処理装置と同様に、原水槽５０、酸化処理槽５２、膜ろ過装置５４、処理水槽５６、酸化剤槽５８、逆洗排水槽６０を備えるが、酸化処理槽５２の洗浄水として、原水槽５０の原水を用い、洗浄排水は廃棄した。
【００５４】
図６に記載の鉄／マンガン含有水処理装置を用いて処理した原水である鉄／マンガン含有水のマンガン濃度、および処理水のマンガン濃度をそれぞれ測定した。結果を表１に示す。また、図６に記載の鉄／マンガン含有水処理装置を用いて処理した場合の、処理した原水に対する処理水の回収率を算出した結果を表２に示す。
【００５５】
【表１】
2015003316.tif 000003
【００５６】
【表２】
2015003316.tif 000004
【００５７】
実施例１および比較例１ではいずれも処理水のマンガン濃度を低下させることができた。比較例１では酸化処理槽の洗浄水として原水を用い、洗浄排水を廃棄したため、回収率が低下した。一方、実施例１では、膜ろ過装置を逆洗した逆洗排水を洗浄水として用いて酸化処理槽を洗浄したため、回収率が高かった。
【００５８】
このように、実施例１の鉄／マンガン含有水処理装置では、水回収率が高く、膜ろ過装置の安定運転が可能となった。
【符号の説明】
【００５９】
１，３，５，７  鉄／マンガン含有水処理装置、１０，５０  原水槽、１２，５２  酸化処理槽、１４，５４  膜ろ過装置、１６，５６  処理水槽、１８，５８  酸化剤槽、２０，２２，２４，４６  ポンプ、２６  原水配管、２８  原水供給配管、３０  酸化処理水配管、３２  膜ろ過水配管、３４  処理水配管、３６  酸化剤配管、３８  逆洗水配管、４０  逆洗排水配管、４２  洗浄排水配管、４４，６０  逆洗排水槽。
【図１】
2015003316.tif 000005
【図２】
2015003316.tif 000006
【図３】
2015003316.tif 000007
【図４】
2015003316.tif 000008
【図５】
2015003316.tif 000009
【図６】
2015003316.tif 000010
【図７】
2015003316.tif 000011